(57)【要約】【課題】レンズホルダに設けられる樹脂のプロテクタの脱落を軽減することのできる光ピックアップを提供する。【解決手段】本発明は、スピンドル機構に載置された状態で回転された光ディスクから情報を読み出す、又は、当該光ディスクに情報を書き込むことが可能な光ピックアップであって、光源からの光を光ディスクに集光する対物レンズと、前記光ディスクが載置される側に凹部が形成され、前記対物レンズを保持するレンズホルダと、樹脂材料で構成され、前記凹部に挿入された状態で硬化されたプロテクタと、を備える。そして、前記凹部は、前記光ディスクが載置される側である前記レンズホルダの上面側から下面側に向かって開口面積が広くなる部分を有する。【選択図】図２
2011096304.tif 000002
【特許請求の範囲】
【請求項１】
スピンドル機構に載置された状態で回転された光ディスクから情報を読み出す、又は、当該光ディスクに情報を書き込むことが可能な光ピックアップであって、
光源からの光を光ディスクに集光する対物レンズと、
前記光ディスクが載置される側に凹部が形成され、前記対物レンズを保持するレンズホルダと、
樹脂材料で構成され、前記凹部に挿入された状態で硬化されるプロテクタと、
を備え、
前記凹部は、前記光ディスクが載置される側である前記レンズホルダの上面側から下面側に向かって開口面積が広くなる部分を有する、
光ピックアップ
【請求項２】
前記プロテクタは、前記スピンドル機構に載置された光ディスクに対して、前記対物レンズよりも近接するように設けられる、
請求項１に記載の光ピックアップ。
【請求項３】
前記凹部は、少なくとも他の領域に貫通する貫通孔を有する、
請求項１に記載の光ピックアップ。
【請求項４】
前記凹部は、前記レンズホルダの上面に対して突出する突起部を有する、
請求項１に記載の光ピックアップ。
【発明の詳細な説明】
【技術分野】
【０００１】
本発明は、光ディスク等の情報記録媒体から情報を読み出す、又は、情報記録媒体に情報を記録することが可能な光ピックアップに関する。より詳しくは、対物レンズと、対物レンズを保持するレンズホルダと、を備える光ピックアップにおいて、レンズホルダの上面（光ディスクが載置される側）に、樹脂によるプロテクタを形成する装置に関する。
【背景技術】
【０００２】
光ディスク等の信号記録媒体に対して光学的に信号の読み取り、あるいは書き込みを行う光学ヘッドにおける光ピックアップにおいては、周知のように、対物レンズアクチュエータが装着されるレンズホルダが支持ワイヤー等の弾性支持部材によってアクチュエータフレームに対して変位可能に弾性的に支持され、前記レンズホルダを駆動して対物レンズによって収束される光ビームのフォーカス制御及びトラッキング制御が信号記録媒体に対して行われるようになっている。
【０００３】
ところで、信号記録媒体の高密度化による大容量化に伴って信号記録媒体の信号層上の光スポット径を小さくするために高密度化対応の対物レンズはＮＡを大きくする必要がある。一方、信号記録媒体の高密度化に対応させるためにアクチュエータの可動部は軽量化が推進されている。そのため、使用する対物レンズの口径を大きくせずにＮＡが大きくなることにより対物レンズが信号記録媒体に当接されるまでのレンズホルダがフォーカス方向に作動可能な距離（Ｗｏｒｋｉｎｇ  Ｄｉｓｔａｎｃｅ）が狭まってきている。
【０００４】
従って、光ピックアップとしては、フォーカスサーボ導入時における対物レンズの光軸方向への変位や衝撃等により対物レンズが信号記録媒体に衝突して対物レンズや信号記録媒体が損傷されるのを防止するように、対物レンズの周辺に対物レンズを含むレンズホルダのどの部位より信号記録媒体に接近するべく突出するプロテクタを設けているものが知られている（例えば、特許文献１参照）。
【０００５】
ところで、プロテクタとしては、信号記録媒体、例えばＤＶＤやＣＤの基材である透明基板の材質として用いられるポリカーボネートより硬度が低いと共に、防振性などの他の特性から特許文献１に示されるようにシリコーンゴムが使用される場合がある。このシリコーンゴムとしては硬化性を有する液剤タイプがあり、この液剤タイプのシリコーンゴムをレンズホルダの上面の対物レンズの周囲に塗布し、このシリコーンゴムを硬化させてプロテクタを形成することが考えられる。
【０００６】
また、硬化性を有する液剤を塗布してプロテクタを形成する場合、塗布時における液剤の粘度の変化、液剤を投与するディスペンサの圧力変化、あるいは液剤を抽出する針先の詰まりなどによって液剤の塗布量が変化したり、あるいは液剤を硬化させる温度や湿度などの環境変化などの種々の要因により形成されるプロテクタの高さが変化してしまうため、液剤が半硬化状態になった状態で規制板を押し当てることによりプロテクタ高さを規制する形成方法が知られている。（例えば、特許文献２参照）
【先行技術文献】
【特許文献】
【０００７】
【特許文献１】特開２００１−３１９３５５号公報
【特許文献２】特開２００７−３５０８３号公報
【特許文献３】特開２００６−０１８９７８号公報
【発明の概要】
【発明が解決しようとする課題】
【０００８】
ところで、上記特許文献１や２には、対物レンズが光ディスクと衝突して、対物レンズや光ディスクが損傷するのを防止することについては言及されている。しかしながら、レンズホルダに設けられた樹脂のプロテクタが、光ディスクと衝突して外れてしまうといったことについては、言及されていない。
【０００９】
そこで本発明は、上記課題を解決するために、レンズホルダに設けられる樹脂のプロテクタの脱落を軽減することのできる光ピックアップを提供することを目的とする。
【課題を解決するための手段】
【００１０】
本発明は、スピンドル機構に載置された状態で回転された光ディスクから情報を読み出す、又は、当該光ディスクに情報を書き込むことが可能な光ピックアップであって、光源からの光を光ディスクに集光する対物レンズと、前記光ディスクが載置される側に凹部が形成され、前記対物レンズを保持するレンズホルダと、樹脂材料で構成され、前記凹部に挿入された状態で硬化されたプロテクタと、を備える。そして、前記凹部は、前記光ディスクが載置される側である前記レンズホルダの上面側から下面側に向かって開口面積が広くなる部分を有する。
【００１１】
なお、特許文献２には、レンズホルダに設けられるプロテクタの高さ規制については言及されていない。
【００１２】
そのため、本発明の第２の形態では、さらに、前記凹部は、少なくとも他の領域に貫通する貫通孔を有する。
【００１３】
このようにすれば、液状であるプロテクタが凹部に挿入された後、プロテクタが半硬化状態になった際に、レンズホルダと別体の規制部材で貫通孔を塞ぐことによって、プロテクタの高さ規制を容易にできる。
【発明の効果】
【００１４】
本発明の光ピックアップによれば、光ディスクがプロテクタに衝突した場合であっても、レンズホルダに設けられた樹脂のプロテクタの脱落を軽減できる。
【図面の簡単な説明】
【００１５】
【図１】本実施の形態に係るプロテクタが形成された光ピックアップの一例を示す斜視図
【図２】（ａ）本実施の形態に係るレンズホルダの要部断面図、（ｂ）同レンズホルダにプロテクタを形成した断面図
【図３】（ａ）他の実施の形態におけるレンズホルダの要部断面図、(ｂ)は同レンズホルダにプロテクタを形成した断面図
【図４】(ａ)他の実施の形態におけるレンズホルダの要部断面図、（ｂ）は同レンズホルダにプロテクタを形成した断面図
【図５】(ａ)他の実施の形態におけるレンズホルダの要部断面図、（ｂ）は同レンズホルダにプロテクタを形成した断面図
【図６】(ａ)他の実施の形態におけるレンズホルダの要部断面図、（ｂ）は同レンズホルダにプロテクタを形成した断面図
【図７】(ａ)他の実施の形態におけるレンズホルダの要部断面図、（ｂ）は同レンズホルダにプロテクタを形成した断面図
【図８】(ａ)他の実施の形態におけるレンズホルダの要部断面図、（ｂ）は同レンズホルダにプロテクタを形成した断面図
【図９】(ａ)他の実施の形態におけるレンズホルダの要部断面図、（ｂ）は同レンズホルダにプロテクタを形成した断面図
【図１０】従来の光ピックアップのレンズホルダとプロテクタの断面図
【図１１】従来の光ピックアップのレンズホルダとプロテクタの断面図
【発明を実施するための形態】
【００１６】
本実施の形態の光ピックアップについて、図面を参照しながら説明する。
【００１７】
図１は、本発明の実施の形態におけるプロテクタが形成されたＤＶＤ及びＣＤ対応等の光ピックアップの一例の完成状態を示す斜視図である。
【００１８】
レンズホルダ１には対物レンズ７が取り付けられ、また、レンズホルダ１の側面全周を包囲するべく巻回されるフォーカシングコイル８と、レンズホルダ１の４隅に配置されるトラッキングコイル９がそれぞれ巻回されている。
【００１９】
レンズホルダ１を支持する４本（場合によっては数本）のサスペンションワイヤ１０は、アクチュエータフレーム１１に固定される配線基板１２にそれぞれ一端が固定され、それぞれの他端側がレンズホルダ１の相対する所定の２側面の中央上下からそれぞれ突出される各支持部に固定される。
【００２０】
これによりレンズホルダ１は、４本のサスペンションワイヤ１０によりアクチュエータフレーム１１にフォーカス方向及びトラッキング方向に変位可能に弾性的に支持される。この場合、サスペンションワイヤ１０はレンズホルダ１の両側にそれぞれ上下２本が配置されて上下方向に互いに平行で左右方向にハ字状に架設されている。
【００２１】
そして、各サスペンションワイヤ１０のレンズホルダ１に固定される他端側の先には、フォーカシングコイル８及びトラッキングコイル９の各駆動コイルの所定の端末が絡げられる各突片がレンズホルダ１に一体に形成されており、前記各サスペンションワイヤ１０の他端側の先端付近がハンダ付けされると共に、前記各サスペンションワイヤ１０の一端が配線基板１２のランドにハンダ付けされ、これにより配線基板１２に供給されるフォーカス及びトラッキングの各制御信号が前記各サスペンションワイヤ１０を介して各駆動コイルに供給される。
【００２２】
またアクチュエータフレーム１１には、４本のサスペンションワイヤ１０（両側の下の２本は図示されず）によりレンズホルダ１が所定位置に架設支持された状態において、各駆動コイルの有効辺に有効磁界を発生するように磁気回路が設けられている。そのため、フォーカシングコイル８にフォーカス制御信号を供給することによりそのフォーカス制御信号に応じてレンズホルダ１を介して対物レンズ７がフォーカス方向に駆動されるようになっていると共に、各トラッキングコイル９にトラッキング制御信号を供給することによりそのトラッキング制御信号に応じてレンズホルダ１を介して対物レンズ７がトラッキング方向に駆動されるようになっている。
【００２３】
上記が本実施の形態における光ピックアップの構成である。その中でも、実施の形態の特徴部分であるレンズホルダ１とプロテクタ４の役割に関して詳細に説明する。
【００２４】
レンズホルダ１の対物レンズ７が設置されるレンズ設置部の上面において、このレンズ設置部の４隅（構造によっては、４隅以上や以下の場合もある）となる対物レンズ７の周囲にそれぞれプロテクタ４がドーム状に突出して形成されている。前記各プロテクタ４はアクチュエータ可動部の他のどの部分（対物レンズ７のリム部上面）より対向されるディスク側に突出しており、アクチュエータ可動部がディスクに当接される部位を各プロテクタ４としている。
【００２５】
ここで、前記各プロテクタ４はシリコーンゴム等により構成され、ディスクの基材のポリカーボネートより硬度が低くなっており、フォーカスサーボ導入時における対物レンズ７の光軸方向への変位や衝撃等によりプロテクタ４がディスクに衝突してもディスクの損傷が防止される。
【００２６】
また、プロテクタ４がディスクに当接することにより変形しても対物レンズ７がディスクに当接されるのが防止されるようにプロテクタ４は変形を考慮した高さとなっており、対物レンズ７の損傷も防止される。
【００２７】
また前記プロテクタ４をシリコーンゴムにより構成すると、シリコーンゴムが有する防振製によってアクチュエータの高次共振特性が有効になることが期待できる。
【００２８】
次に、前記各プロテクタ４の脱落防止のために重要な前記レンズホルダ１の形状について従来例と本実施の形態の構造を断面図で比較しながら、各実施の形態にわけて説明する。また各実施の形態で説明するレンズホルダの形状はプロテクタの脱落防止に加え特許文献２のようなプロテクタの高さ規制も容易にできる機能も盛り込んでいる。
（実施の形態１）
図２および図３は、本実施の形態１における光ピックアップのレンズホルダとプロテクタの断面図の一例である。図１０および図１１は、従来の光ピックアップのレンズホルダとプロテクタの断面図の一例である（特許文献３参考）。
【００２９】
レンズホルダ１の凹部２に硬化性を有する液剤を流し込んで、前記レンズホルダ１の上面側に液剤を粘度により停留させた状態で硬化させることによりプロテクタ４を形成した際、図１０および図１１のような従来のレンズホルダ構造では、凹部２が上面から下面に向かって開口面積が同じまたは狭くなるという一般的な金型の抜き勾配を考慮した構造になっており、プロテクタ４が左右斜めのランダムな衝撃や断続的な衝撃等に脆く、衝撃を受けると凹部２の構造上プロテクタ４がゆりかごのような状態になりその力を凹部内で吸収できずレンズホルダ１の外に脱落してしまう。
【００３０】
しかし、図２、図３のような発明構造では、金型の抜き構造を工夫し例えば成型に支障が出ない程度に凹部２を上面側から下面側に向かって一部開口面積を広げる構造をとっているため、プロテクタ４への左右斜めのランダム衝撃や断続的な衝撃等でも凹部内でプロテクタが脱落しようとする力が分散し、プロテクタ４がゆりかごのような状態にはならず、レンズホルダ１から脱落することが無くなる。これだけ簡易的な構造でプロテクタ自体の脱落防止の強度があがることは非常に有用な手段といえる。
【００３１】
上記の凹部２の発明構造は、金型の抜き勾配を利用する方法もあるが、ネジ抜き等で角度をつけてレンズホルダ１の上面側に向かって抜く方法や下面側に向かって削る方法なども考えられる。また、ネジ抜き等をした際は従来構造と同じように凹部２を上面から下面に向かって開口面積が同じまたは狭くなる構造にしてもプロテクタ４の強度は従来構造に比べて非常に高い。それは、ネジ抜きを使用した際は、液剤を流し込んだ時にネジ山に液剤が入り込み、プロテクタ４自体の強度が増すメリットがあるためである。
【００３２】
また図４は、本実施の形態１における光ピックアップの部分的貫通穴を追加したレンズホルダとプロテクタの断面図の一例であるが、この図４は、図２や図３をさらに進化させた構造をしておりレンズホルダ１の凹部２に一つまたは複数の部分的貫通穴３なるものを設けている。この部分的貫通穴３は、液剤を流し込んでプロテクタ４を形成する際に、温度・湿度環境等や液剤を流し込む環境等（例えば、ディスペンサの圧力変化や、針先の詰まり等による塗布量変化等）によって液剤内に気泡ができた際に、その気泡によるプロテクタ４の強度不足やプロテクタ４の脱落の防止に非常に有効な手段といえる。
（実施の形態２）
図５および図６は、本実施の形態２における光ピックアップのレンズホルダと突起とプロテクタの断面図の一例である。図１０および図１１は、従来の光ピックアップのレンズホルダとプロテクタの断面図である。
【００３３】
レンズホルダ１の凹部２に硬化性を有する液剤を流し込んで、前記レンズホルダ１の上面側に液剤を粘度により停留させた状態で硬化させることによりプロテクタ４を形成した際、図１０および図１１のような従来のレンズホルダ構造では、凹部２が上面から下面に向かって開口面積が同じまたは狭くなるという一般的な金型の抜き勾配を考慮した構造になっており、プロテクタ４が左右斜めのランダムな衝撃や断続的な衝撃等に脆く、衝撃を受けると凹部２の構造上プロテクタ４がゆりかごのような状態になりその力を凹部内で吸収できずレンズホルダ１の外に脱落してしまう。
【００３４】
しかし、図５、図６のような発明構造では凹部２内に一つまたは複数の突起５なるものを設けることによって、液剤を流しこんだ時に液剤と接する表面積が増えるため、プロテクタ４が左右斜めのランダムな衝撃や断続的な衝撃等に対して、ゆりかごのような状態になることが無く、強度が格段に増すことになる。突起５の材質はレンズホルダ１と同様の材質で一体成型しても良いが、別のものをレンズホルダ１に接着しても良い。また突起５の高さｈ１は、プロテクタ４のレンズホルダからの高さｈ２よりも高くなってはいけない。これは、プロテクタ４がディスクに衝突することでディスクの損傷が防止されることが重要であるからである。
【００３５】
また、突起５に加え、凹部２の金型の抜き構造を工夫し例えば成型に支障が出ない程度に上面側から下面側に向かって一部開口面積を広げる構造をとると、プロテクタ４への左右斜めのランダム衝撃や断続的な衝撃等に対してさらに凹部内で力が分散し、プロテクタ４がゆりかごのような状態にはならないため、これも非常に有用な手段といえる。
【００３６】
上記の凹部２の発明構造は、金型の抜き勾配を利用する方法もあるが、ネジ抜き等で角度をつけてレンズホルダ１の上面側に向かって抜く方法や下面側に向かって削る方法なども考えられる。また、ネジ抜き等をした際は従来構造と同じように凹部２を上面から下面に向かって開口面積が同じまたは狭くなる構造にしてもプロテクタ４の強度は従来構造に比べて非常に高い。それは、ネジ抜きを使用した際は、液剤を流し込んだ時にネジ山に液剤が入り込み、プロテクタ４自体の強度が増すメリットがあるためである。
【００３７】
また図７は、本実施の形態２における光ピックアップの部分的貫通穴を追加したレンズホルダと突起とプロテクタの断面図である。この図７は、図５、図６をさらに進化させた構造をしておりレンズホルダ１の凹部２に一つまたは複数の部分的貫通穴３なるものを設けている。この部分的貫通穴３は、液剤を流し込んでプロテクタ４を形成する際に、温度・湿度環境等や液剤を流し込む環境等（例えば、ディスペンサの圧力変化や、針先の詰まり等による塗布量変化等）によって液剤内に気泡ができた際に、その気泡によるプロテクタ４の強度不足やプロテクタ４の脱落の防止に非常に有効な手段といえる。
（実施の形態３）
図８、図９は、本実施の形態３における光ピックアップのレンズホルダとプロテクタの断面図である。図１０および図１１は、従来の光ピックアップのレンズホルダとプロテクタの断面図の一例である。
【００３８】
レンズホルダ１の凹部２に硬化性を有する液剤を流し込んで、前記レンズホルダ１の上面側に液剤を粘度により停留させた状態で硬化させることによりプロテクタ４を形成した際、図１０および図１１のような従来のレンズホルダ構造では、凹部２が上面から下面に向かって開口面積が同じまたは狭くなるという一般的な金型の抜き勾配を考慮した構造になっており、プロテクタ４が左右斜めのランダムな衝撃や断続的な衝撃等に脆く、衝撃を受けると凹部２の構造上プロテクタ４がゆりかごのような状態になりその力を凹部内で吸収できずレンズホルダ１の外に脱落してしまう。
【００３９】
しかし、図８、図９のような発明構造では、上面側から下面側に向かって一部開口面積を広げた貫通穴形状をとっているため、プロテクタ４への左右斜めのランダム衝撃や断続的な衝撃等でも貫通穴６内で力が分散し、プロテクタ４がゆりかごのような状態にはならず、レンズホルダ１から脱落することが無くなる。これだけ簡易的な構造でプロテクタ自体の強度があがることは非常に有用な手段といえる。また貫通穴構造になっているため液剤を流し込んでプロテクタ４を形成する際に、温度・湿度環境等や液剤を流し込む環境等（例えば、ディスペンサの圧力変化や、針先の詰まり等による塗布量変化等）によって液剤内に気泡ができた際に、その気泡によるプロテクタ４の強度不足やプロテクタ４の脱落の防止に非常に有効な手段といえる。
【００４０】
ここで貫通穴６の構造は、従来のような凹部２の構造と違って、金型を抜く場合レンズホルダ１の上下面どちらでも抜けるというメリットがある。また下面に向かって開口面積が広がっている構造も貫通穴構造であるため金型の抜き勾配を容易に使うことができる。
【００４１】
上記の貫通穴６の発明構造は、金型の抜き勾配を利用する方法もあるが、ネジ抜き等で角度をつけてレンズホルダ１の上下面側に向かって抜く方法なども考えられる。また、ネジ抜き等をした際は従来構造と同じように貫通穴６を上面から下面に向かって開口面積が同じまたは狭くなる構造にしてもプロテクタ４の強度は従来構造に比べて非常に高い。それは、ネジ抜きを使用した際は、液剤を流し込んだ時にネジ山に液剤が入り込み、プロテクタ４自体の強度が増すメリットがあるためである。
【００４２】
また発明例は貫通穴構造となっているため従来例に比べて、液剤を流し込んでプロテクタ４を形成する際に、温度・湿度環境等や液剤を流し込む環境等（例えば、ディスペンサの圧力変化や、針先の詰まり等による塗布量変化等）によっては気泡ができる可能性があるため、それを防止するためには有用な構造といえる。また液剤を流し込むのもレンズホルダ１の上面側および下面側どちら側からでも可能な構造といえる。
【産業上の利用可能性】
【００４３】
本発明に係る光ピックアップは、液剤を塗布・注入するプロテクタの形成方法において、レンズホルダの簡易的な構造によりプロテクタの脱落防止、またプロテクタの高さ規制も容易にできるため、信号記録媒体や対物レンズを衝突から保護する保護性能の向上を持ち合わせたＢＤ、ＤＶＤ、ＣＤ等の光ピックアップ等の用途に有用である。
【符号の説明】
【００４４】
１    レンズホルダ
２    凹部
３    部分的貫通穴
４    プロテクタ
５    突起
６    貫通穴
７    対物レンズ
８    フォーカシングコイル
９    トラッキングコイル
１０    サスペンションワイヤ
１１    アクチュエータフレーム
１２    配線基板
Ａ    対物レンズ側（上面側）
Ｂ    底面側（下面側）
【図１】
2011096304.tif 000003
【図２】
2011096304.tif 000004
【図３】
2011096304.tif 000005
【図４】
2011096304.tif 000006
【図５】
2011096304.tif 000007
【図６】
2011096304.tif 000008
【図７】
2011096304.tif 000009
【図８】
2011096304.tif 000010
【図９】
2011096304.tif 000011
【図１０】
2011096304.tif 000012
【図１１】
2011096304.tif 000013